(57)【特許請求の範囲】
【請求項１】
表面側に切欠部を有する袋状のカードホルダー及び、該カードホルダーと同一の外形を有する袋部と、該袋部に連接し折り畳み時に該カードホルダーの表面側と対向する中央部と、該中央部に連接し折り畳み時に該カードホルダーの裏面側と該袋部との間に収納される先端部とからなる財布本体を含む財布であって、該カードホルダーと、該財布本体の該袋部とは、紙幣を挟持できるコの字状のバネを含むバネ機構を介して結合されていることを特徴とする財布。
【請求項２】
上記コの字状のバネの一方の端は、上記カードホルダーの表面側に延在され、該コの字状のバネの他方の端は、上記袋部中に延在されていることを特徴とする請求項１に記載の財布。
【請求項３】
上記コの字状のバネの一方の端は、上記カードホルダーの表面側のＵ字形状の切欠部に沿って延在されていることを特徴とする請求項２に記載の財布。
【請求項４】
上記コの字状のバネの一方の端は、上記カードホルダーの表面側の半円形状の切欠部に沿って埋設延在され、上記コの字状のバネの他方の端は、上記袋部中に台形状に延在されていることを特徴とする請求項２に記載の財布。
【請求項５】
上記財布本体の上記先端部は、紙幣の端部を収容可能な袋状に構成されていることを特徴とする請求項１ないし４のいずれか１項に記載の財布。
【請求項６】
上記袋部は、コインを収容するコインホルダーであることを特徴とする請求項１ないし５のいずれか１項に記載の財布。
【請求項７】
上記バネ機構は、一本の針金状の弾性部材により構成されていることを特徴とする請求項１ないし６のいずれか１項に記載の財布。
【発明の詳細な説明】
【技術分野】
【０００１】
本発明は、財布、特にカードホルダー付きの財布に関する。
【背景技術】
【０００２】
カードホルダー付きの財布については、種々の形態の財布が販売されており、これらに関して特許文献としても、例えば特許文献１、２、４などが提案されている。
また、紙幣を財布に固定するため、財布の中央部に紙幣挟着クリップを設けることも提案されている（特許文献３参照）。
【０００３】
ところが従来のカードホルダー付きの財布では、次のような問題点があった。
（１）財布に多くの紙幣を収納しようとすると、財布が十分広がらない。また、紙幣が無い場合にも逆に財布が小さくならない。
（２）財布に装着されたカード収納ポケット付のカードホルダーは、カードの取り出しには便利であるが、カードの枚数が多くなるとカードの厚みに加えてカード収納ポケットの厚みが加わることにより、財布の厚みが厚くなる。また、カードの枚数が多いため一つのカード収納ポケットに複数のカードを収納するような場合には後ろ側のカードは取り出しにくい。
（３）カードの取り出しを容易にするためには、カード収納ポケットを階段状に形成する必要があるがこれにより、財布が必要以上の大きさとなる。
（４）折り畳んだ財布をボタン等でロックしているが、ボタンの位置が固定されているため、多数の紙幣を入れた場合ボタンがかからなくなり、逆に紙幣が無い場合には財布がピッタリと閉まらない。
【０００４】
本発明者は、上記（１）〜（４）の問題点に鑑み、カードホルダーにより紙幣を挟持する中央部と、該中央部の左右にそれぞれ連接し折り畳み時にそれぞれ中央部側に折り返す折り返し部とからなる財布であって、該カードホルダーの底部と該中央部の底部とは、バネ機構を介して接続されていることを特徴とする財布（特許文献５参照）を提案済みである。
この財布によれば上記の問題点は解決されているが、次のような問題点が残っている。
（１）財布にコインホルダーを付加することが困難である。
（２）財布を折り畳んだときに結束するバンドが必要である。
（３）カードホルダー内のカードは縦向きに挿入されているため文字が横向きとなり、カードの確認に手間取る。
（４）カードホルダーからカードが落下することがある。
【先行技術文献】
【特許文献】
【０００５】
【特許文献１】実開平５−９３２３８号公報
【特許文献２】実用新案登録第２５７１１４９号公報
【特許文献３】実用新案登録第３０５２５２２号公報
【特許文献４】実用新案登録第３０７０２１４号公報
【特許文献５】実用新案登録第３１６５３０８号公報
【発明の概要】
【発明が解決しようとする課題】
【０００６】
したがって本発明は、上記の各問題点を解決し、カードの確認が容易で落下の恐れがなく小型で薄いコイン収納ホルダー付きの財布を提供することを課題とする。
【課題を解決するための手段】
【０００７】
本発明の課題を解決するための手段は、次のとおりである。
（１）表面側に切欠部を有する袋状のカードホルダー及び、該カードホルダーと同一の外形を有する袋部と、該袋部に連接し折り畳み時に該カードホルダーの表面側と対向する中央部と、該中央部に連接し折り畳み時に該カードホルダーの裏面側と該袋部との間に収納される先端部とからなる財布本体を含む財布であって、該カードホルダーと、該財布本体の該袋部とは、紙幣を挟持できるコの字状のバネを含むバネ機構を介して結合されていることを特徴とする財布。
（２）上記コの字状のバネの一方の端は、上記カードホルダーの表面側に延在され、該コの字状のバネの他方の端は、上記袋部中に延在されていることを特徴とする上記（１）に記載の財布。
（３）上記コの字状のバネの一方の端は、上記カードホルダーの表面側のＵ字形状の切欠部に沿って延在されていることを特徴とする上記（２）に記載の財布。
（４）上記コの字状のバネの一方の端は、上記カードホルダーの半円形状の切欠部に沿って埋設延在され、上記コの字状のバネの他方の端は、上記袋部中に台形状に延在されていることを特徴とする上記（２）に記載の財布。
（５）上記財布本体の上記先端部は、紙幣の端部を収容可能な袋状に構成されていることを特徴とする上記（１）ないし（４）のいずれかに記載の財布。
（６）上記袋部は、コインを収容するコインホルダーであることを特徴とする上記（１）ないし（５）のいずれかに記載の財布。
（７）上記バネ機構は、一本の針金状の弾性部材により構成されていることを特徴とする上記（１）ないし（６）のいずれかに記載の財布
【発明の効果】
【０００８】
本発明の財布によれば、従来のものに比べて次の（１）〜（３）に述べるような効果があり、さらに既提案の実用新案登録第３１６５３０８号公報に記載のものに比べても、次の（４）〜（７）に述べるような効果がある。
（１）カードホルダーを財布本体の端部に配置し折り畳めるようにしたため、カードサイズ程度の小型の財布が得られる。また財布の厚みは、カードホルダーの厚みにより決められており、さらに従来の財布のようなカード収納ポケットの厚みが加わることがないため、必要以上に厚くなることはない。
（２）カードホルダーと財布本体の袋部とは、バネ機構を介して接続されているため、紙幣はこのバネ機構により財布とカードホルダーとの間に有効に挟持される。
（３）カードホルダーの前側面の一部には切欠部があり、簡単に押して取り出すことができる。
（４）財布にコインホルダーを付加することができる。
（５）カードホルダーとコインホルダーとの間に財布本体の先端部を差し込んで止められるようにしたため結束するバンドが不要である。
（６）カードホルダー内のカードは横向きに挿入されているため、カードの種類の確認が容易である。
（７）カードホルダーは、袋状となっているため、中のカードが財布から落下することがない。
【図面の簡単な説明】
【０００９】
【図１】本発明に係る財布の展開模式図である。
【図２】本発明に係る財布の分解模式図である。
【図３】本発明に係る財布のバネ機構の模式図である。
【図４】本発明に係る財布の内側展開写真である。
【図５】本発明に係る財布の外側展開写真である。
【図６】本発明に係る財布の折り畳み時の写真である。
【発明を実施するための形態】
【００１０】
本発明の実施の形態について図面を参照して詳細に説明する。
図１は、本発明に係る財布の展開模式図である。
財布１は、表面側に切欠部９を有する袋状のカードホルダー７と、カードホルダー７の裏側にあり、カードホルダーと同一の外形を有する図示されていない袋部５と、袋部に連接し折り畳み時にカードホルダーの表面側と対向する中央部４と、中央部に連接し折り畳み時にカードホルダーの裏面側と該袋部との間に収納される先端部３とからなる財布本体とから構成されており、袋状のカードホルダー７と財布本体とは、紙幣を挟持できるコの字状のバネを含むバネ機構８を介して結合されている。
【００１１】
袋状のカードホルダー７は、複数のカードを横向きに収納することができる。本実施例では、袋状のカードホルダーの表面側の一部には、カードの出し入れ及び収納カードの確認の便宜のための半円形の切欠部９が上部より設けられている。
【００１２】
図２は、本発明に係る財布の分解模式図であり、図２の（ａ）、（ｂ）、（ｃ）は、それぞれ財布本体２、コの字状のバネＣを含むバネ機構、カードホルダー７の各模式図である。
コの字状のバネＣの一方の端部１０の延在部分Ａは、図２（ｃ）に点線で示すようにカードホルダー７の切欠部９に沿って埋設延在されるとともに、コの字状のバネＣの他方の端部１１の延在部分Ｂは、図２（ａ）に点線で示すように財布本体２の袋部５中に挿入され延在されている。
【００１３】
財布本体２に設けられている袋部５の外形は、財布本体を折り目６に従って折り畳んだ際にカードホルダーがはみ出さないようにするため、カードホルダーと概ね同一の外形となっている。
袋部５は、コイン収納ホルダーとすることができる。コイン収納ホルダーからコインの脱落を防止するため、袋部の入口付近にホック等の係止手段を設けることもできる。
【００１４】
袋部５の表面側の上端部にはバネ機構を構成するコの字状のバネＣの他方の端１１が係止される。
本発明では、コの字状のバネＣの他方の端１１が何らかの手段により確実に袋部５の表面側の上端部に係止されていれば十分である。
【００１５】
バネ機構を構成するコの字状のバネの他方の端１１は、必要に応じて袋部５の中に延在させることができる。
本実施例では、図２（ａ）、（ｂ）から分かるように、他方の端１１は、袋部５の中に延在されており、延在部分Ｂの形状は台形となっている。このため実施例では袋部５の形状が安定し、コインを容易に取り出すことができる。
【００１６】
財布本体２は、袋部５に連接した中央部４を有する。
中央部４は、財布を折り目６に従って折り畳んだ時にカードホルダーの表面と向き合わせとなる。中央部とカードホルダー７との隙間には紙幣が挟持される。
【００１７】
次に、財布本体２は、中央部４に連接した先端部３を有する。
先端部３は袋状となっているため、先端部３には、財布に収納する紙幣の端を差し込んで保持することができる。あるいは、チケット等を差し込んで保管することもできる。
【００１８】
財布本体２の袋部５と中央部４との間及び中央部４と先端部３との間にはそれぞれ折り目６が形成されている。そして、財布本体２を折り目６に従って折り、先端部３を袋部５とカードホルダー７の裏面側との間に挿入することにより、財布を小さく折り畳むことができる。（折り畳み時の写真である図６参照）
【００１９】
カードホルダー７の表面側の上端部には、コの字状のバネＣの一方の端１０が係止される。
本発明では、コの字状のバネＣの一方の端１０が係止手段により確実にカードホルダー７の表面側の上端部に係止されていれば十分である。
コの字状のバネの一方の端１０は、係止を確実にするため、必要に応じて切欠部９に沿ってカードホルダー７の表面側に延在させることができる。
【００２０】
本実施例では、図２（ｂ）、（ｃ）から分かるように、コの字状のバネＣの一方の端１０は、図２（ｃ）でＡのように、半円形の切欠部９に沿ってカードホルダー７の表面側に埋設延在されている。
本実施例では、カードホルダー７に半円形の切欠部９を形成したことにより、カードホルダー内のカードを容易に出し入れできるとともにカードの種類も容易に確認することができる。
【００２１】
図２に示したバネ機構８を構成するコの字状のバネＣの斜視図を図３示す。
図３から分かるように、コの字状のバネＣの一方の端１０には、カードホルダーのＵ字状の切欠部に沿って埋設延在される半円形の延在部分Ａが付加されている。
また、コの字状のバネＣの他方の端１１は、一方の端１０より手前に位置するとともに、袋部５の中に延在される台形の延在部分Ｂが付加されている。
【００２２】
実施例では、コの字状のバネＣの一方の端１０に半円形の延在部分Ａを付加したが、要はコの字状のバネＣの一方の端１０が確実にカードホルダー７に結合されるのであれば、Ｕ字形状等他の形状でもよい。
また、コの字状のバネＣの他方の端１１に台形の延在部分Ｂを付加したが、確実に袋部５に結合されるのであれば、延在部分の形状は台形に限定されない。
【００２３】
また、実施例ではバネ機構におけるコの字状のバネとして、一本の針金状の弾性部材により構成したものを例示したが、本発明はこれに限らず板状の弾性部材等により構成したものであってもよい。
【００２４】
図４〜図６は、本発明に従って製作した財布の写真である。
図４は、横置きした財布の内側展開写真であり、写真左方には折り目から折れ曲がった先端部が見えている。また、写真右方にはコの字状のバネと、下側の袋部とコの字状のバネを含むバネ機構を介して結合されたカードホルダーとが見えている。
図５は、横置きした財布の外側展開写真である。
図６は、財布を折り畳んだ状態の写真である。財布は、カードホルダーサイズ程度の大きさに折り畳まれていることが分かる。
【００２５】
なお、本明細書に開示した実施例並びに財布の写真は、本発明の理解を容易にするために例示したものであって、本発明はこれに限定されない。
すなわち、本発明は、特許請求の範囲を逸脱しない限り、財布の製作に当たって適宜の設計変更が可能であることは言うまでもないことである。
【符号の説明】
【００２６】
１  財布
２  財布本体
３  先端部
４  中央部
５  袋部
６  折り目
７  カードホルダー
８  バネ機構
９  切欠部
１０  コの字状のバネＣの一方の端
１１  コの字状のバネＣの他方の端
【図１】
0005990382.tif 000002
【図２】
0005990382.tif 000003
【図３】
0005990382.tif 000004
【図４】
0005990382.tif 000005
【図５】
0005990382.tif 000006
【図６】
0005990382.tif 000007